(57)【要約】【課題】雌型端子金具をコネクタハウジング内に係止力を高めて確実に係止する。【解決手段】雌型端子金具２０を樹脂製のコネクタハウジング１１内に係止して収納するコネクタ１０において、コネクタハウジング１１は、雌型端子金具２０を収納するために後面１１ａ側から前面１１ｂ側に向かって矩形状に開口した端子収納室１１ｃ内の一方の内壁面１１ｅに形成された第１の係止部１１ｆと、一方の内壁面１１ｅと対向する他方の内壁面１１ｇに弾性変位可能に形成された第２の係止部１１ｉとを備え、雌型端子金具２０は、雄型端子金具が接触される導電性接触片２２を内部に有する略箱状の枠体２１の一方の外壁面２１ａに形成されて第１の係止部１１ｆに係止される第１の被係止部２１ｄと、一方の外壁面２１ａと対向する他方の外壁面２１ｂに形成されて第２の係止部１１ｉに係止される第２の被係止部２１ｅとを備えたことを特徴とするコネクタ１０を提供する。【選択図】図１
2009283212.tif 000002
【特許請求の範囲】
【請求項１】
雄型端子金具が挿脱される雌型端子金具を樹脂製のコネクタハウジング内に係止して収納するコネクタにおいて、
前記コネクタハウジングは、前記雌型端子金具を収納するために後面側から前面側に向かって矩形状に開口した端子収納室内の一方の内壁面に形成された第１の係止部と、前記一方の内壁面と対向する他方の内壁面に弾性変位可能に形成された第２の係止部とを備え、
前記雌型端子金具は、前記雄型端子金具が接触される導電性接触片を内部に有する略箱状の枠体の一方の外壁面に形成されて前記第１の係止部に係止される第１の被係止部と、前記一方の外壁面と対向する他方の外壁面に形成されて前記第２の係止部に係止される第２の被係止部とを備えたことを特徴とするコネクタ。
【請求項２】
前記第１の係止部及び前記第１の被係止部のうちいずれか一方が凹部であり、他方が凸部であることを特徴とする請求項１記載のコネクタ。
【請求項３】
前記第２の係止部は、前記端子収納室内の前記他方の内壁面に弾性変位可能に支持したアーム部の先端側に突出形成された凸部であり、前記第２の被係止部は、前記枠体の前記他方の外壁面に突出形成された凸部であることを特徴とする請求項１又は請求項２記載のコネクタ。
【発明の詳細な説明】
【技術分野】
【０００１】
本発明は、雄型端子金具が挿脱される雌型端子金具を樹脂製のコネクタハウジング内に簡単な構造で且つ係止力を高めて確実に係止できるコネクタに関するものである。
【背景技術】
【０００２】
一般的に、雄型端子金具が挿脱される雌型端子金具は、コネクタの基台となる樹脂製のコネクタハウジング内に係止された状態で使用されるものであり、コネクタの信頼性向上を図る上で雌型端子金具のコネクタハウジングへの係止構造が重要な要素となっている。
【０００３】
この種の係止構造には、雌型端子金具自体にランスと呼称される係止爪を備えたターミナルランス構造と、コネクタハウジング内に係止爪を備えたケースランス構造とがあり、信頼性の面から後者のケースランス構造が主流となっている。
【０００４】
尚、上記した「ランス」は、コネクタ用語において、バネ性を有する係止手段である。
【０００５】
この際、ケースランス構造を適用したコネクタの一例として、小型化に好適な端子金具及びコネクタがある（例えば、特許文献１参照）。
【０００６】
上記した特許文献１では、ここでの図示を省略するものの、樹脂材を用いて上下２段、幅方向に複数室並んで配設された複数の端子収納室（キャビティ）を有するコネクタハウジングと、このコネクタハウジングの各端子収納室内に後方から挿入されると内部に備えられた抜け止め部（ランス）により係止可能とされる複数の雌型端子金具とを備え、雌型端子金具のうち外壁には、コネクタハウジング内の抜け止め部が進入するのを許容するよう切欠部が形成され、その前側の切断端部を部分的に外方へ突出させることで、抜け止め部が係止可能な係止突部が設けられるとともに、切欠部の前側の切断端面に対して抜け止め部が係止可能となっているコネクタが開示されている。
【０００７】
この際、コネクタハウジング内の抜け止め部は、各端子収納室内の下側内壁面から弾性変位可能に突出形成されたランスである。
【特許文献１】特開２００４−１４３０５号公報
【発明の開示】
【発明が解決しようとする課題】
【０００８】
ところで、上記した特許文献１に開示された従来のコネクタによれば、雄型端子金具が挿脱される雌型端子金具を樹脂製のコネクタハウジング内に装着したときに、コネクタハウジング内に弾性変位可能に設けた抜け止め部（ランス）を、雌型端子金具の外壁面に形成した切欠部に樹脂材の弾性力により進入させることで、雌型端子金具をコネクタハウジング内に係止させることができる。
【０００９】
しかしながら、従来のコネクタに対してより一層小型化が進むと、複数の端子収納室の隣り合うピッチがより一層狭くなり、これに伴なって、コネクタハウジング内に弾性変位可能に設けた抜け止め部（ランス）もより一層幅細くなるので、抜け止め部の強度不足により雌型端子金具をコネクタハウジング内に係止させる際の係止力が弱まってしまうという問題が生じてしまう。
【００１０】
そこで、コネクタの小型化を実現する際に、雄型端子金具が挿脱される雌型端子金具を樹脂製のコネクタハウジング内に簡単な構造で且つ係止力を高めて確実に係止できるコネクタが望まれている。
【課題を解決するための手段】
【００１１】
本発明は上記課題に鑑みてなされたものであり、第１の発明は、雄型端子金具が挿脱される雌型端子金具を樹脂製のコネクタハウジング内に係止して収納するコネクタにおいて、前記コネクタハウジングは、前記雌型端子金具を収納するために後面側から前面側に向かって矩形状に開口した端子収納室内の一方の内壁面に形成された第１の係止部と、前記一方の内壁面と対向する他方の内壁面に弾性変位可能に形成された第２の係止部とを備え、前記雌型端子金具は、前記雄型端子金具が接触される導電性接触片を内部に有する略箱状の枠体の一方の外壁面に形成されて前記第１の係止部に係止される第１の被係止部と、前記一方の外壁面と対向する他方の外壁面に形成されて前記第２の係止部に係止される第２の被係止部とを備えたことを特徴とするコネクタである。
【００１２】
また、第２の発明は、上記した第１の発明のコネクタにおいて、前記第１の係止部及び前記第１の被係止部のうちいずれか一方が凹部であり、他方が凸部であることを特徴とするコネクタである。
【００１３】
更に、第３の発明は、上記した第１又は第２の発明のコネクタにおいて、
前記第２の係止部は、前記端子収納室内の前記他方の内壁面に弾性変位可能に支持したアーム部の先端側に突出形成された凸部であり、前記第２の被係止部は、前記枠体の前記他方の外壁面に突出形成された凸部であることを特徴とするコネクタである。
【発明の効果】
【００１４】
本発明に係るコネクタによると、コネクタを小型化したときに、樹脂製のコネクタハウジング内に設けた複数の端子収納室の隣り合うピッチが狭くなり、各端子収納室内の一方の内壁面に形成した第１の係止部と、各端子収納室内で一方の内壁面と対向する他方の内壁面に弾性変位可能に形成した第２の係止部とがそれぞれ細幅になっても、コネクタハウジングと一体に簡単な構造で形成した第1，第２の係止部により各雌型端子金具の枠体の一方及び他方の外壁面に形成した第1，第２の被係止部を係止力を高めてコネクタハウジング内に確実に係止できると共に、第２の係止部のみを弾性変位可能とすることで各雌型端子金具をコネクタハウジング内に係止したときに片効きが発生しない。
【発明を実施するための最良の形態】
【００１５】
以下に本発明に係るコネクタの一実施例について図１〜図３を参照して詳細に説明する。
【実施例】
【００１６】
図１は本発明に係るコネクタを説明するための図であり、（ａ）はコネクタハウジングの左側面図を示し、（ｂ）はコネクタハウジングの縦断面図を示し、（ｃ）はコネクタハウジングの右側面図を示し、（ｄ）は雌型端子金具を示した図である。
【００１７】
図１（ａ）〜（ｄ）に示した如く、本発明に係るコネクタ１０は、樹脂製のコネクタハウジング１１と、雄型端子金具（図示せず）が挿脱される長尺な雌型端子金具２０とを備えて、コネクタハウジング１１内に複数の雌型端子金具２０が係止された状態で収納されるように構成されている。
【００１８】
まず、上記したコネクタハウジング１１は、非導電性を有する例えば白色の合成樹脂材により略直方体形状に一体的に射出成形されている。
【００１９】
また、コネクタハウジング１１は、後面１１ａ側から前面１１ｂ側に向かって複数の端子収納室（キャビティ）１１ｃが例えば上下２段、幅方向に複数室並んだ状態でそれぞれ矩形状に開口されており、且つ、前面１１ｂと各端子収納室１１ｃとの間に前壁面１１ｄが垂設されている。
【００２０】
この際、コネクタハウジング１１の各端子収納室１１ｃは長尺な雌型端子金具２０に合わせて長尺な直方孔形状に形成されており、且つ、端子収納室１１ｃの上下方向の寸法は雌型端子金具２０の上下方向の寸法よりも余裕を持って設定されている一方、端子収納室１１ｃの紙面に垂直な幅方向の寸法は雌型端子金具２０の紙面に垂直な幅方向の寸法に略設定されて、雌型端子金具２０が後面１１ａ側から端子収納室１１ｃ内に挿入されて収納可能になっている。
【００２１】
また、コネクタハウジング１１の各端子収納室１１ｃ内には、下側内壁面１１ｅに第１の係止部となる第１の係止用台形状凸部１１ｆが一体的に固定した状態で突出形成されていると共に、下側内壁面１１ｅと間隔を隔てて対向した上側内壁面１１ｇに弾性変位可能（揺動可能）に支持したアーム部１１ｈの先端側に第２の係止部となる第２の係止用台形状凸部１１ｉが突出形成されており、これら第１，第２の係止部１１ｆ，１１ｉは、後述する雌型端子金具２０の枠体２１の下側外壁面２１ａ及び上側外壁面２１ｂにそれぞれ形成した第１，第２の被係止部２１ｄ，２１ｅを係止するようになっている。
【００２２】
即ち、コネクタハウジング１１の各端子収納室１１ｃ内の奥方には、第１の係止部となる第１の係止用台形状凸部１１ｆが下側内壁面１１ｅから各端子収納室１１ｃ内に向かって低い高さで台形状に突出形成されており、且つ、第１の係止用台形状凸部１１ｆは、後面１１ａ側に向かって傾斜面が形成されて、この傾斜面により雌型端子金具２０を端子収納室１１ｃ内にスムーズに挿入し易くなっている。
【００２３】
一方、コネクタハウジング１１の各端子収納室１１ｃ内の奥方には、上側内壁面１１ｇと連接してアーム部１１ｈが後面１１ａ側を揺動支点として前面１１ｂ側に向かってこの上側内壁面１１ｇに対して略平行に樹脂材の弾性力により弾性変位可能に支持されており、且つ、このアーム部１１ｈの先端側に第２の係止部となる第２の係止用台形状凸部１１ｉが各端子収納室１１ｃ内に向かって低い高さで台形状に突出形成されており、この第２の係止用台形状凸部１１ｉが弾性変位自在なランスとして機能している。
【００２４】
この際、上記した第２の係止用台形状凸部１１ｉは、雌型端子金具２０の挿入方向側に傾斜面が形成されて、この傾斜面により雌型端子金具２０を端子収納室１１ｃ内にスムーズに挿入し易くなっている。
【００２５】
更に、コネクタハウジング１１の前面１１ｂには、不図示の雄型端子金具が挿脱されるための孔１１ｊと、雌型端子金具２０を係止解除する端子抜き取り冶具（図示せず）が挿脱されるための孔１１ｋとが各端子収納室１１ｃに向かって貫通して穿設されている。
【００２６】
次に、上記した雌型端子金具２０は、枠体２１が金属材を用いて長尺な略箱状に曲げ形成されている。
【００２７】
即ち、略箱状に曲げ形成した枠体２１は、長尺な下側外壁面２１ａと対向する上側外壁面２１ｂのうちの後方側に切欠部２１ｃが上側外壁面２１ｂよりも一段下がって切り欠かれており、且つ、コネクタハウジング１１への挿入方向側に雄型端子金具（図示せず）が接触される導電性接触片２２を内部に有していると共に、後方側の切欠部２１ｃで電線２３を圧着している。
【００２８】
また、略箱状に形成された枠体２１のうちで下側外壁面２１ａの前方に被係止用凹孔２１ｄが穿設され、且つ、下側外壁面２１ａと対向する上側外壁面２１ｂの前方に被係止用三角状凸部２１ｅが低い高さで突出形成されている。
【００２９】
この際、枠体２１の下側外壁面２１ａの前方に穿設した被係止用凹孔２１ｄは、コネクタハウジング１１の各端子収納室１１ｃ内に形成した第１の係止部となる第１の係止用台形状凸部１１ｆに係止される第１の被係止部として機能している。
【００３０】
尚、この実施例では、第１の係止部となる第１の係止用台形状凸部１１ｆは凸状に形成され、且つ、第１の被係止部となる被係止用凹孔２１ｄは凹状に形成されているが、これに限ることなく、第１の係止部をコネクタハウジング１１の各端子収納室１１ｃ内の下側内壁面１１ｅに凹状に形成し、且つ、第１の被係止部を雌型端子金具２０の枠体２１の下側外壁面２１ａに凸状を形成することも可能であるので、第１の係止部及び第１の被係止部のうちいずれか一方が凹部であり、他方が凸部であれば良いものである。
【００３１】
一方、枠体２１の上側外壁面２１ｂの前方に突出形成した被係止用三角状凸部２１ｅは、挿入方向側に傾斜面が形成され、且つ、この傾斜面と対向して垂直面が形成されている。
【００３２】
そして、枠体２１の上側外壁面２１ｂに突出形成した被係止用三角状凸部２１ｅは、コネクタハウジング１１の各端子収納室１１ｃ内に形成した第２の係止部となる第２の係止用台形状凸部１１ｉに係止される第２の被係止部として機能している。
【００３３】
ここで、上記のように構成した本発明に係るコネクタ１０の動作について図２及び図３を用いて簡略に説明する。
【００３４】
図２は本発明に係るコネクタにおいて、雌型端子金具をコネクタハウジング内に挿入した途中段階を示した縦断面図、
図３は本発明に係るコネクタにおいて、雌型端子金具をコネクタハウジング内に挿入完了した段階を示した縦断面図である。
【００３５】
図２に示した如く、本発明に係るコネクタ１０において、雌型端子金具２０をコネクタハウジングの端子収納室１１ｃ内に挿入する場合には、雌型端子金具２０の先端部位を端子収納室１１ｃ内の下側内壁面１１ｅに対して斜め上方に傾けて挿入すると、雌型端子金具２０の枠体２１の下側外壁面２１ａの先端部位が、コネクタハウジング１１の端子収納室１１ｃ内の下側内壁面１１ｅに突出形成した第１の係止用台形状凸部１１ｆに乗り上げる。この際、端子収納室１１ｃ内の下側内壁面１１ｅに形成した第１の係止用台形状凸部１１ｆは、端子金具２０の枠体２１の下側外壁面２１ａに形成した被係止用凹孔２１ｄに至っていない。
【００３６】
上記に伴なって、雌型端子金具２０の枠体２１の上側外壁面２１ｂの前方に突出形成した被係止用三角状凸部２１ｅが、コネクタハウジング１１の端子収納室１１ｃ内の上側内壁面１１ｇにアーム部１１ｈを介して弾性変位可能に突出形成した第２の係止用台形状凸部１１ｉを上方に押し上げる。
【００３７】
この後、図３に示した如く、雌型端子金具２０を端子収納室１１ｃ内の下側内壁面１１ｅに沿いながら更に奥方に向かって挿入すると、コネクタハウジング１１の端子収納室１１ｃ内の下側内壁面１１ｅに突出形成した第１の係止用台形状凸部１１ｆが雌型端子金具２０の枠体２１の下側外壁面２１ａの前方に形成した被係止用凹孔２１ｄ内に進入するので、この被係止用凹孔２１ｄが第１の係止用台形状凸部１１ｆによって係止されると共に、コネクタハウジング１１の端子収納室１１ｃ内の上側内壁面１１ｇにアーム部１１ｈを介して弾性変位可能に突出形成した第２の係止用台形状凸部１１ｉが、雌型端子金具２０の枠体２１の上側外壁面２１ｂの前方に突出形成した被係止用三角状凸部２１ｅを乗り越えるので、この被係止用三角状凸部２１ｅが第２の係止用台形状凸部１１ｉによって係止される。
【００３８】
そして、雌型端子金具２０がコネクタハウジング１１の端子収納室１１ｃ内に係止されたときに、コネクタハウジング１１の前面１１ｂ側に形成した孔１１ｊから不図示の雄型端子金具を挿脱できる。
【００３９】
更に、コネクタハウジング１１の端子収納室１１ｃ内に係止された雌型端子金具２０を端子収納室１１ｃ内から抜き取る場合には、コネクタハウジング１１の前面１１ｂ側に形成した孔１１ｋから不図示の端子抜き取り冶具を挿入して、この端子抜き取り冶具をアーム部１１ｈの先端に当接させて第２の係止部１１ｉによる雌型端子金具２０への係止を解除させれば良い。
【００４０】
従って、上記した本発明に係るコネクタ１０を小型化したときに、樹脂製のコネクタハウジング１１内に設けた複数の端子収納室１１ｃの隣り合うピッチが狭くなり、各端子収納室１１ｃ内の下側内壁面１１ｅに形成した第１の係止部１１ｆと、各端子収納室１１ｃ内で下側内壁面１１ｅと対向する上側内壁面１１ｇにアーム部１１ｈを介して弾性変位可能に形成した第２の係止部１１ｉとがそれぞれ細幅になっても、コネクタハウジング１１と一体に簡単な構造で形成した第1，第２の係止部１１ｆ，１１ｉにより各雌型端子金具２０の枠体２１の下側外壁面２１ａ及び上側外壁面２１ｂに形成した第1，第２の被係止部２１ｄ，２１ｅを係止力を高めてコネクタハウジング１１内に確実に係止できると共に、第２の係止部１１ｉのみを弾性変位可能とすることで各雌型端子金具２０をコネクタハウジング１１内に係止したときに片効きが発生しない。
【図面の簡単な説明】
【００４１】
【図１】本発明に係るコネクタを説明するための図であり、（ａ）はコネクタハウジングの左側面図を示し、（ｂ）はコネクタハウジングの縦断面図を示し、（ｃ）はコネクタハウジングの右側面図を示し、（ｄ）は雌型端子金具を示した図である。
【図２】本発明に係るコネクタにおいて、雌型端子金具をコネクタハウジング内に挿入した途中段階を示した縦断面図である。
【図３】本発明に係るコネクタにおいて、雌型端子金具をコネクタハウジング内に挿入完了した段階を示した縦断面図である。
【符号の説明】
【００４２】
１０  コネクタ
１１  コネクタハウジング
１１ａ  後面
１１ｂ  前面
１１ｃ  端子収納室
１１ｄ  前壁面
１１ｅ  下側内壁面
１１ｆ  第１の係止部（第１の係止用台形状凸部）
１１ｇ  上側内壁面、１１ｈ…アーム部
１１ｉ  第２の係止部（第２の係止用台形状凸部）
１１ｊ  孔
１１ｋ  孔
２０  雌型端子金具
２１  枠体
２１ａ  下側外壁面
２１ｂ  上側外壁面
２１ｃ  切欠部
２１ｄ  第１の被係止部（被係止用凹孔）
２１ｅ  第２の被係止部（被係止用三角状凸部）
２２  導電性接触片
２３  電線
【図１】
2009283212.tif 000003
【図２】
2009283212.tif 000004
【図３】
2009283212.tif 000005